(57)【要約】【課題】通電を開始した後に自己遮断が生じた場合に、再度通電したときに、負荷に継続して通電を行い、正常に負荷を駆動することができる制御システムを提供する。【解決手段】制御システム１のマイコン３の制御部３１は、バッテリ１１とＨＩＤライト５とを接続／遮断する、ＩＰＤ２のＦＥＴ２０を制御部２１によりオン／オフ制御する。ＩＰＤ２は、電流検出部２２を有し、電流検出部２２により検出した電流が閾値以上である場合に自身でＦＥＴ２０をオフする自己遮断を行う。制御部３１は、制御部２１が自己遮断を行ったか否かを判定し、自己遮断を行ったと判定した場合に、ＨＩＤライト５にパルス電圧を供給するようにＦＥＴ２０をオン／オフ制御する指示を制御部２１へ出力する。【選択図】図１
2015056857.tif 000002
【特許請求の範囲】
【請求項１】
電源と負荷とを接続／遮断するスイッチをオン／オフ制御する指示を出力する指示出力装置と、
前記電源から前記負荷へ流れる電流を検出する電流検出手段を有し、前記指示出力装置から入力された前記指示に従って、前記スイッチをオン／オフ制御し、前記電流検出手段により検出した電流の値が閾値以上である場合に自身で前記スイッチをオフする自己遮断を行う給電制御装置と
を備える制御システムにおいて、
前記指示出力装置は、
前記給電制御装置が前記自己遮断を行ったか否かを判定する第１判定手段と、
該第１判定手段により前記自己遮断を行ったと判定した場合に、前記負荷にパルス電圧を供給するように前記スイッチをオン／オフ制御する指示を出力する制御指示出力手段と
を備えることを特徴とする制御システム。
【請求項２】
前記指示出力装置は、
前記給電制御装置に前記スイッチをオン制御する指示を出力した後、第１時間が経過したか否かを判定する第２判定手段を備え、
前記制御指示出力手段は、前記第１判定手段により前記自己遮断を行ったと判定し、前記第２判定手段により前記第１時間が経過したと判定した場合に、前記オン／オフ制御する指示を出力することを特徴とする請求項１に記載の制御システム。
【請求項３】
前記指示出力装置は、
前記第１時間より長い第２時間が経過したか否かを判定する第３判定手段と、
該第３判定手段により前記第２時間が経過したと判定した場合に、前記スイッチをオン制御する指示を出力する手段と
を備えることを特徴とする請求項２に記載の制御システム。
【発明の詳細な説明】
【技術分野】
【０００１】
本発明は、バッテリ等の電源から負荷への給電の指示、又は該給電の遮断の指示を出力する指示出力装置と、該指示出力装置が出力した指示に従って負荷への給電、又は該給電の遮断を行う給電制御装置とを備える制御システムに関する。
【背景技術】
【０００２】
現在、バッテリから負荷への給電指示、又は遮断指示を出力する指示出力装置と、指示出力装置が出力した給電指示、又は遮断指示に従って負荷への給電、又は給電の遮断を行う給電制御装置とを備える制御システムが提案されている（例えば特許文献１等）。
【０００３】
特許文献１に記載の制御システムでは、給電制御装置はバッテリ及び負荷間を接続する電線の中途に設けられたスイッチをオン／オフにすることによって給電／遮断を行う。指示出力装置には負荷の作動／停止を指示する作動指示／停止指示が外部から入力され、指示出力装置は、入力された作動指示／停止指示に応じた給電指示／遮断指示を給電制御装置に出力する。
【０００４】
車両に搭載された電装品には、ハーネスの電線を介して給電制御装置から電力が供給されるが、過電流が発生した場合、電線が焼損する虞がある。
特許文献２の電源供給装置は、トランジスタ素子をオン／オフにすることによって給電／遮断を行うように構成され、トランジスタ素子の通電電流を検出しており、検出した電流値が所定値以上である場合にトランジスタ素子をオフする。トランジスタ素子がオフされた場合、オフの原因として、過電流、又はモータのロック電流が考えられるので、電源供給装置の制御部は検出した電流値に基づいて、オフの原因を判定する。この電源供給装置においては、オフの原因がモータのロック電流であると判定した場合、所定時間の経過後に再度トランジスタ素子をオンする。
【先行技術文献】
【特許文献】
【０００５】
【特許文献１】特開２０１２−１２２８６９号公報
【特許文献２】特開２０１１−２２３８３５号公報
【発明の概要】
【発明が解決しようとする課題】
【０００６】
特許文献２の電源供給装置がＩＰＤ（Intelligent Power Device）である場合、上述の指示出力装置からの給電指示を受け付けて負荷へ通電を行い、電線に過電流が流れたり、加熱状態になったりしていると自身が判定した場合、指示出力装置から給電指示を受け付けたときでも負荷への通電を遮断する自己保護機能を有することになる。この場合に自己遮断が解除され、再度ＩＰＤがトランジスタ素子をオンしたとき、ロック電流が発生するので、またトランジスタ素子が遮断され、負荷へ迅速に通電することができないという問題がある。
【０００７】
また、ＩＰＤの自己保護機能に関しては以下の問題もある。
ＩＰＤが電源を供給する負荷が、例えばバラストにより駆動を制御されるＨＩＤ（High Intensity Discharge）ライトである場合、トランジスタ素子のオンにより給電を開始した後、バラストのコンデンサの充電により、突入電流が複数回発生することがある。
【０００８】
図６は、時間（経過時間）と電流との関係を示すグラフであり、横軸が時間、縦軸が電流（バラストを流れる電流：Ａ）である。図６において、破線は自己遮断を行うための電流の閾値を示す。図６に示すように、負荷への通電をオンした直後は、このとき発生する突入電流によって自己遮断が生じないように電流の閾値は高く設定されている。すなわち、１回目の突入電流が発生した場合、自己遮断は生じず、負荷への通電が継続される。
所定時間の経過後は、ＩＰＤを保護するために閾値は低く設定されている。従って、この閾値が低くなった後に２回目以降の突入電流が発生した場合、突入電流の値が閾値を超えていることになるので、自己遮断が生じ、負荷への通電が遮断される。以上のように、閾値は２段階で設定されている。
自己遮断が生じた後、再度、通電がオンされた場合、２回目の突入電流により、また自己遮断が生じ得るので、継続して負荷へ給電することができないことになる。
【０００９】
本発明は斯かる事情に鑑みてなされたものであり、給電を開始した後に自己遮断が生じた場合に、再度給電したとき、負荷が複数回突入電流が生じるものであっても継続して負荷に給電を行うことができ、正常に負荷を駆動することができる制御システムを提供することを目的とする。
【課題を解決するための手段】
【００１０】
本発明に係る制御システムは、電源と負荷とを接続／遮断するスイッチをオン／オフ制御する指示を出力する指示出力装置と、前記電源から前記負荷へ流れる電流を検出する電流検出手段を有し、前記指示出力装置から入力された前記指示に従って、前記スイッチをオン／オフ制御し、前記電流検出手段により検出した電流の値が閾値以上である場合に自身で前記スイッチをオフする自己遮断を行う給電制御装置とを備える制御システムにおいて、前記指示出力装置は、前記給電制御装置が前記自己遮断を行ったか否かを判定する第１判定手段と、該第１判定手段により前記自己遮断を行ったと判定した場合に、前記負荷にパルス電圧を供給するように前記スイッチをオン／オフ制御する指示を出力する制御指示出力手段とを備えることを特徴とする。
【００１１】
本発明においては、給電制御装置が自己遮断を行ったと判定した場合に、指示出力装置は、負荷にパルス電圧を供給するようにスイッチをオン／オフ制御する指示を給電制御装置へ出力する。スイッチのオン／オフ制御が繰り返されるので、給電制御装置が自己遮断を行うか否かを判断するための過電流の閾値が、スイッチのオン直後の突入電流により自己遮断が生じないように、高く設定された状態が繰り返される。従って、スイッチをオンした後、複数回突入電流が生じる場合においても、一度自己遮断が生じ、この自己遮断を解除してパルス状のオン／オフ制御に切り換えた後は、突入電流に基づいて自己遮断が生じることはなく、通電が継続される。
【００１２】
本発明に係る制御システムは、前記指示出力装置は、前記給電制御装置に前記スイッチをオン制御する指示を出力した後、第１時間が経過したか否かを判定する第２判定手段を備え、前記制御指示出力手段は、前記第１判定手段により前記自己遮断を行ったと判定し、前記第２判定手段により前記第１時間が経過したと判定した場合に、前記オン／オフ制御する指示を出力することを特徴とする。
【００１３】
負荷が例えばＨＩＤライトである場合、スイッチをオンにした後、２回目以降の突入電流が生じる時間は決まっている。
本発明においては、通電のオン後に２回以上、突入電流が生じ、２回目以降の突入電流で自己遮断が生じる場合に、第１時間を２回目の突入電流が生じる時間の少し前の時間に設定することで、第１時間の経過後に自己遮断が生じたとき、これは２回目の突入電流に基づくことになる。従って、問題なく自己遮断を解除して、パルス状のオン／オフ制御に切り換えることができる。第１時間の経過前にハーネスの地絡等の故障が生じた場合、通電はオン制御されているので、過電流の閾値は通電のオン直後の閾値より低くなっており、自己遮断は確実に生じる。このとき、自己遮断を解除してパルス状のオン／オフ制御に切り換えることは行わず、ユーザに故障対応等を促すことができる。
【００１４】
本発明に係る制御システムは、前記指示出力装置は、前記第１時間より長い第２時間が経過したか否かを判定する第３判定手段と、該第３判定手段により前記第２時間が経過したと判定した場合に、前記スイッチをオン制御する指示を出力する手段とを備えることを特徴とする。
【００１５】
本発明においては、第２時間を、突入電流が発生しない時間に設定することで、第２時間が経過してオン制御に切り換わった後にハーネスの地絡等の故障が生じた場合、過電流の閾値は通電のオン直後の閾値より低いので、自己遮断が確実に生じる。このとき、自己遮断を解除してパルス状のオン／オフ制御に切り換えることは行わず、ユーザに故障対応等を促すことができる。
【発明の効果】
【００１６】
本発明によれば、給電制御装置が自己遮断を行ったと判定した場合に、指示出力装置は、自己遮断を解除し、負荷にパルス電圧が供給されるようにスイッチをオン／オフ制御する指示を給電制御装置へ出力するので、再度の通電後、所定時間の経過後に突入電流が生じた場合でもこれに基づいて自己遮断が生じることはなく、通電が継続され、正常に負荷が駆動される。
【図面の簡単な説明】
【００１７】
【図１】本発明の実施の形態に係る制御システムの要部構成を示すブロック図である。
【図２】制御区間と電流との関係を示すグラフである。
【図３】図３Ａは、時間と負荷出力との関係を示すグラフ、図３Ｂは時間と電流との関係を示すグラフである。
【図４】マイクロコンピュータ（以下、マイコンという）の制御部が実行する給電／遮断処理の手順を示すフローチャートである。
【図５】マイコンの制御部が実行する給電／遮断処理の手順を示すフローチャートである。
【図６】時間と電流との関係を示すグラフである。
【発明を実施するための形態】
【００１８】
以下、本発明をその実施の形態を示す図面に基づいて詳述する。
図１は、本発明の実施の形態に係る制御システム１の要部構成を示すブロック図である。この制御システム１は、好適に車両に搭載され、ＩＰＤ２と、マイコン３と、バラスト４と、ＨＩＤライト５とを備える。
【００１９】
ＩＰＤ２は、バッテリ１１の正極端子とバラスト４との間に接続されている。ＩＰＤ２はさらにマイコン３に接続されている。バラスト４はさらにＨＩＤライト５に接続されている。
バッテリ１１の負極端子、及びバラスト４は接地されている。
【００２０】
ＩＰＤ２には、バッテリ１１からＨＩＤライト５への給電、又は、該給電の遮断を指示する給電指示／遮断指示（オン指示／オフ指示）がマイコン３から入力される。ＩＰＤ２は、入力された給電指示／遮断指示に従って、バッテリ１１からバラスト４へ給電／遮断を行い、バラスト４はＨＩＤライト５へ給電／遮断を行う。ＩＰＤ２は給電制御装置として機能する。
【００２１】
マイコン３には、ユーザの入力装置（不図示）を用いた入力等により、外部からＨＩＤライト５の作動、又は停止を指示する作動指示／停止指示が入力される。マイコン３は、外部から入力された作動指示／停止指示に応じた給電指示／遮断指示をＩＰＤ２へ出力する。マイコン３は、指示出力装置として機能する。
【００２２】
ＨＩＤライト５は、バッテリ１１から給電された場合に作動し、バッテリ１１からの給電が遮断された場合に作動を停止する。バラスト４は、このＨＩＤライト５の作動／停止を制御する。バラスト４はコンデンサを備えており、給電された後に３回、突入電流が生じる。
【００２３】
ＩＰＤ２は、Ｎチャネル型のＦＥＴ（Field Effect Transistor）２０、制御部２１、電流検出部２２、駆動部２３、及び自己保護部２４を有する。ＦＥＴ２０のドレインはバッテリ１１の正極端子に接続され、ソースはバラスト４の一端に接続され、ゲートは駆動部２３、及び自己保護部２４に接続されている。電流検出部２２、駆動部２３、及び自己保護部２４夫々は制御部２１に接続されている。
【００２４】
ＦＥＴ２０は、スイッチとして機能し、ゲートに一定の電圧以上の電圧が印加された場合、電流がドレインからゲートに流れてオンとなり、ゲートに印加されている電圧が一定の電圧未満である場合、電流がドレインからゲートに流れずにオフとなる。ＦＥＴ２０のゲートには、電圧が駆動部２３によって印加され、駆動部２３は、ＦＥＴ２０のゲートに印加されている電圧を調整することによって、ＦＥＴ２０をオン／オフする。
【００２５】
電流検出部２２は、バッテリ１１の正極端子からバラスト４へ流れる負荷電流を検出し、検出した負荷電流値を示す電流値データを制御部２１へ出力する。
【００２６】
駆動部２３には、マイコン３から制御部２１を介し給電指示／遮断指示が入力される。駆動部２３は、給電指示が入力された場合、ＦＥＴ２０をオンにし、バッテリ１１からバラスト４を介しＨＩＤライト５へ給電する。駆動部２３は、遮断指示が入力された場合、ＦＥＴ２０をオフにし、バッテリ１１からＨＩＤライト５への給電を遮断する。
【００２７】
制御部２１には電流検出部２２から前記電流値データが入力される。制御部２１は、入力された電流値データが示す負荷電流値が所定電流値（閾値）以上である場合、マイコン３から出力する給電指示／遮断指示と無関係に、自己保護部２４によりＦＥＴ２０をオフにしてバッテリ１１からＨＩＤライト５への給電を遮断（自己遮断）する。
【００２８】
制御部２１は、給電指示／遮断指示とは無関係に、バッテリ１１からＨＩＤライト５への給電を遮断した場合、該給電を遮断したことを示す遮断信号をマイコン３へ出力する。ここで、マイコン３からＩＰＤ２へ給電指示が入力された場合、自己遮断は解除される。
【００２９】
マイコン３は、制御部３１、記憶部３２、計時部３３、入力部３４、出力部３５、及び報知部３６を備える。制御部３１、記憶部３２、計時部３３、入力部３４、出力部３５、及び報知部３６夫々はバス３７に接続されている。制御部３１は、例えばＣＰＵ（Central Processing Unit）からなる。入力部３４、及び出力部３５夫々は、バス３７の他に、ＩＰＤ２の制御部２１に接続されている。
【００３０】
入力部３４には、電流検出部２２から前記電流値データが入力され、入力部３４は、入力された電流値データを制御部３１へ出力する。
【００３１】
入力部３４には、ＩＰＤ２の制御部２１から遮断信号が入力されると共に、外部から作動指示／停止指示が入力される。入力部３４は、外部から入力された作動指示／停止指示を制御部３１に通知する。
【００３２】
入力部３４は、制御部２１から遮断信号が入力された場合、制御部２１が給電指示／遮断指示とは無関係にバッテリ１１からＨＩＤライト５への給電を遮断している旨を制御部３１に通知する。
【００３３】
出力部３５は、制御部３１の指示に従って、給電指示／遮断指示をＩＰＤ２の制御部２１へ出力する。
記憶部３２は不揮発性メモリであり、記憶部３２に記憶してある内容については制御部３１によって書き込み及び読み出しが行われる。
報知部３６は、制御部３１の指示に従って、報知を行う。報知部３６は、例えば後述すするように自己遮断が生じ、遮断状態を継続する場合等、表示部（不図示）にメッセージを表示したり、ランプを点灯したり、ブザーを鳴らしたりすることによって報知を行う。
【００３４】
制御部３１は、出力部３５に指示して、入力部３４に入力された作動指示／停止指示に応じた給電指示／停止指示をＩＰＤ２の制御部２１へ出力させる。
また、制御部３１は制御部２１へ給電指示を出力した後、ＩＰＤ２が自己遮断を行ったことを入力した場合、後述するように、給電指示からの経過時間に応じて、オン指示、オフ指示、オン／オフ指示をＩＰＤ２の制御部２１へ出力させる。
【００３５】
図２は、制御区間と電流（バラスト４に流れる電流）との関係を示すグラフである。ここで、突入電流が３回生じる場合について説明する。図２において、制御部３１が制御部２１へ給電指示を出力したタイミングを時間「Ｔ0 」とする。時間Ｔ1 は、バラスト４で２回目の突入電流が発生する時間より短い時間に設定してある。時間Ｔ2 は、突入電流が発生しない時間に設定してある。ＦＥＴ２０の制御モードにはＦＥＴ２０をオン制御する、通常の「オン制御モード」と、パルス状にオン／オフ制御する「突入電流対策モード」とがある。
【００３６】
図２に示すように、制御区間には、次の３つの区間がある。
Ａ）過電流判定区間・・・時間Ｔ0 〜Ｔ1 
この区間の始めにおいて、バラスト４で１回目の突入電流が生じた場合、図６で説明したように自己遮断の判断の閾値が高く設定してあるので、自己遮断は生じない。そして、この区間ではバラスト４による２回目の突入電流が発生しないため、通常ではＩＰＤ２の自己遮断は生じない。過電流の閾値は、所定時間の経過後は通電のオン直後の閾値より低くなっており（図３及び図６参照）、ハーネスの地絡等の故障が発生した場合、自己遮断は確実に生じる。この場合、「突入電流対策モード」は実施せず、遮断した状態を維持して、ユーザに報知する。
【００３７】
Ｂ）「突入電流対策モード」を実施するか否かを判定する区間・・・時間Ｔ1 〜Ｔ2 
この区間では、バラスト４による２回目の突入電流が発生する。従って、通常でも自己遮断が生じる可能性がある。自己遮断が生じた場合、制御部３１は、自己遮断を解除して「突入電流対策モード」を実施し、一定回数、オン／オフ制御を行う。オン／オフ制御が繰り返されるので、図３及び図６に示すようにＦＥＴ２０のオン直後の閾値が高く設定された状態が繰り返される。従って、ＦＥＴ２０をオンした後、複数回突入電流が生じる場合においても、ＦＥＴ２０を再度オンした後、突入電流に基づいて自己遮断が生じることはなく、通電が継続される。この区間中に再度自己遮断が生じた場合、ハーネスの地絡等の故障が発生したことが考えられるので、再度の「突入電流対策モード」の実施は行わず、遮断した状態を維持する。
【００３８】
Ｃ）「突入電流対策モード」を実施しない区間・・・時間Ｔ2 〜
この区間では、通電の再開後に突入電流が生じる時間を超えているので、通常では自己遮断は生じない。過電流の閾値は通電のオン直後の閾値より低いので、ハーネスの地絡等の故障が発生した場合、自己遮断は確実に生じる。この場合、「突入電流対策モード」は実施せず、遮断した状態を維持する。
【００３９】
図３Ａは、時間と負荷出力（バラスト４がＨＩＤライト５に印加する電圧：Ｖ）との関係を示すグラフ、図３Ｂは時間と電流（バラスト４に流れる電流：Ａ）との関係を示すグラフである。
制御部３１は作動指示を受け付けた場合、ＦＥＴ２０をオン制御し、負荷に一定量の電圧を供給する（オン制御モード）。
時間Ｔ1 の経過後、２回目の突入電流が生じる。制御部３１はこのとき、ＦＥＴ２０のオン／オフ制御を行う（突入電流対策モード）。オン／オフ制御の開始後、１回目の突入電流が生じるが、自己遮断の判定の電流の閾値が高いので、自己遮断は生じない。図３Ｂに示すようにオン／オフを繰り返すので、電流の閾値は常に高い水準を維持している。従って、再度オンした後、突入電流が生じた場合に自己遮断は生じない。
時間Ｔ2 〜の経過後、制御部３１はオン制御に切り換える（オン制御モード）。
【００４０】
以下に制御部３１の詳細な動作を説明する。図４及び図５は、制御部３１が実行する給電／遮断処理の手順を示すフローチャートである。
まず、制御部３１は、外部から入力部３４を介し作動指示を受け付けたか否かを判定する（Ｓ１）。制御部３１は、作動指示を受け付けていないと判定した場合（Ｓ１：ＮＯ）、出力部３５を介し、遮断指示をＩＰＤ２の制御部２１に出力させる。これにより、制御部２１はＦＥＴ２０のオフを駆動部２３に指示し（Ｓ２）、処理をステップＳ１へ戻す。
制御部３１は、作動指示を受け付けたと判定した場合（Ｓ１：ＹＥＳ）、出力部３５を介し、給電指示をＩＰＤ２の制御部２１に出力させる（Ｓ３）。これにより、制御部２１は、駆動部２３によりＦＥＴ２０をオンにし、バッテリ１１からバラスト４を介しＨＩＤライト５への給電を行う。ＦＥＴ２０の制御モードは「オン制御モード」である。
【００４１】
制御部３１は、計時部３３による計時を開始する（Ｓ４）。
制御部３１は、ＩＰＤ２が自己遮断を行ったか否かを判定する（Ｓ５）。制御部３１はＩＰＤ２が自己遮断を行っていないと判定した場合（Ｓ５：ＮＯ）、外部から停止指示を受け付けたか否かを判定する（Ｓ６）。制御部３１は停止指示を受け付けていないと判定した場合（Ｓ６：ＮＯ）、処理をステップＳ５へ戻す。これにより、自己遮断が生じるか、停止指示を受け付けるまではオンが維持される。
制御部３１は停止指示を受け付けたと判定した場合（Ｓ６：ＹＥＳ）、ＦＥＴ２０のオフを指示し（Ｓ７）、処理をステップＳ１へ戻す。
【００４２】
制御部３１はＩＰＤ２が自己遮断を行ったと判定した場合（Ｓ５：ＹＥＳ）、計時部３３が計時した時間が０以上Ｔ1 未満であるか否かを判定する（Ｓ８）。
制御部３１は時間が０以上Ｔ1 未満であると判定した場合（Ｓ８：ＹＥＳ）、この区間で生じた自己遮断は、上述したようにハーネスの地絡等の故障によるものであるので、制御部３１はＦＥＴ２０のオフを指示し、報知部３６により自己遮断の発生を報知して、処理を終了する（Ｓ１６）。これにより、ユーザは故障の対応を行うことができ、電線の焼損等が防止される。
【００４３】
制御部３１は時間が０以上Ｔ1 未満でないと判定した場合（Ｓ８：ＮＯ）、時間がＴ1 以上Ｔ2 未満であるか否かを判定する（Ｓ９）。制御部３１は時間がＴ1 以上Ｔ2 未満でないと判定した場合（Ｓ９：ＮＯ）、すなわち時間がＴ2 以上であると判定した場合、処理をステップＳ１６へ進める。時間がＴ2 以上である場合に生じた自己遮断は、上述したように、ハーネスの地絡等の故障によるものであるので、制御部３１はステップＳ１６においてＦＥＴ２０のオフを指示し、報知部３６により自己遮断の発生を報知して、処理を終了する。
【００４４】
制御部３１は時間がＴ1 以上Ｔ2 未満であると判定した場合（Ｓ９：ＹＥＳ）、出力部３５を介してオン／オフ制御指示をＩＰＤ２の制御部２１に出力させる。これにより、制御部２１はＦＥＴ２０のオン／オフ制御を駆動部２３に指示する（Ｓ１０）。ＦＥＴ２０の制御モードは「オン制御モード」から「突入電流対策モード」に切り換わる。
【００４５】
制御部３１は、ＩＰＤ２が自己遮断を行ったか否かを判定する（Ｓ１１）。制御部３１はＩＰＤ２が自己遮断を行ったと判定した場合（Ｓ１１：ＹＥＳ）、上述したように２回目の突入電流によるものではなく、ハーネスの地絡等の故障によるものであるので、制御部３１は処理をステップＳ１６へ進め、ステップＳ１６においてＦＥＴ２０のオフを指示し、報知部３６により自己遮断の発生を報知して処理を終了する。
【００４６】
制御部３１はＩＰＤ２が自己遮断を行っていないと判定した場合（Ｓ１１：ＮＯ）、外部から停止指示を受け付けたか否かを判定する（Ｓ１２）。制御部３１は停止指示を受け付けたと判定した場合（Ｓ１２：ＹＥＳ）、ＦＥＴ２０のオフを指示し（Ｓ１５）、処理をステップＳ１へ戻す。
【００４７】
制御部３１は停止指示を受け付けていないと判定した場合（Ｓ１２：ＮＯ）、計時した時間がＴ2 以上であるか否かを判定する（Ｓ１３）。制御部３１は時間がＴ2 以上でないと判定した場合（Ｓ１３：ＮＯ）、処理をステップＳ１１へ戻す。
制御部３１は時間がＴ2 以上であると判定した場合（Ｓ１３：ＹＥＳ）、制御部２１により、ＦＥＴ２０をオン制御する指示を駆動部２３に出力させ（Ｓ１４）、処理をステップＳ５へ戻す。
【００４８】
以上のように、本実施の形態においては、上述の図２のＢの区間内で、ＩＰＤ２が自己遮断を行ったと判定した場合に、マイコン３は、ＨＩＤライト５にパルス電圧が供給されるようにＦＥＴ２０をオン／オフ制御する指示をＩＰＤ２へ出力する。ＦＥＴ２０のオン／オフ制御が繰り返されるので、過電流の閾値が高く設定された状態が繰り返される。従って、スイッチをオンした直後と、所定時間の経過後とで、２回以上突入電流が生じる場合においても、オン／オフ制御に切り換わった後に生じた突入電流に基づいて自己遮断が生じることはなく、通電が継続される。
【００４９】
なお、本実施の形態においては、負荷電流値が所定電流値以上である場合に制御部２１が自己遮断を行う場合につき説明しているが、これに限定されるものではない。検出した電流値が閾値以上である場合にＩＰＤ２が自己遮断を行い、電流値が前記閾値未満であるときに、マイコン３が検出した電流値に基づいて電線の温度を算出し、算出した温度が閾値を超えた場合にＦＥＴ２０をオフするように構成してもよい。この場合も、一度自己遮断が生じ、故障の対応後、通電を再開した場合にＦＥＴ２０をオン／オフ制御することで、突入電流による自己遮断を抑止することができる。
【００５０】
また、本実施の形態において、ＦＥＴ２０はスイッチとして機能すればよいため、ＦＥＴ２０の代わりに、Ｐチャネル型のＦＥＴ又はバイポーラトランジスタ等のスイッチを用いてもよい。
さらに、負荷はＨＩＤライト５である場合には限定されない。
そして、ＦＥＴ２０をオン／オフ制御する場合、電流検出部２２が検出した電流値の大小に応じてデューティ比を大小に調整するＰＷＭ制御を行うことにしてもよい。
【００５１】
今回開示された実施の形態は、全ての点で例示であって制限的なものではないと考えるべきである。本発明の範囲は上述の説明ではなく特許請求の範囲によって示され、特許請求の範囲と均等の意味及び範囲内での全ての変更が含まれることが意図される。
【符号の説明】
【００５２】
１  制御システム
２  ＩＰＤ（給電制御装置）
２０  ＦＥＴ
２１  制御部
２２  電流検出部（電流検出手段）
２３  駆動部
２４  自己保護部
３  マイコン（指示出力装置）
３１  制御部
３２  記憶部
３３  計時部
３４  入力部
３５  出力部
３６  報知部
３７  バス
４  バラスト
５  ＨＩＤライト
１１  バッテリ
【図１】
2015056857.tif 000003
【図２】
2015056857.tif 000004
【図３】
2015056857.tif 000005
【図４】
2015056857.tif 000006
【図５】
2015056857.tif 000007
【図６】
2015056857.tif 000008